(57)【要約】【課題】  発光部を有する撮像装置について、発光部を発光位置へと移動した場合であっても、撮像装置の前方及び後方における無線通信の通信性能を低下させないようにアンテナを配置することが可能な撮像装置を提供する。【解決手段】  撮像装置の上側に設けられ、無線通信の送受信をおこなうアンテナと、アンテナより前側に位置する収納位置と、アンテナより上側に位置する発光位置とを移動可能な発光手段と、を備えた撮像装置であって、アンテナを覆うことで保護するための、少なくとも一部が金属材料とは異なる材料からなるアンテナ保護部を有し、アンテナは、発光手段が収納位置にある場合に、発光手段の金属材料部分より上側に配置され、アンテナ保護部は、発光手段が発光位置にある場合に、発光手段の金属材料部分との間に空間が生じるように配置されることを特徴とする構成とした。【選択図】  図４
2015001731.tif 000002
【特許請求の範囲】
【請求項１】
撮像装置の上側に設けられ、無線通信の送受信をおこなうアンテナと、
前記アンテナより前側に位置する収納位置と、前記アンテナより上側に位置する発光位置とを移動可能な発光手段と、を備えた撮像装置であって、
前記アンテナを覆うことで保護するための、少なくとも一部が金属材料とは異なる材料からなるアンテナ保護部を有し、
前記アンテナは、前記発光手段が前記収納位置にある場合に、前記発光手段の金属材料部分より上側に配置され、
前記アンテナ保護部は、前記発光手段が前記発光位置にある場合に、前記発光手段の金属材料部分との間に空間が生じるように配置されることを特徴とする撮像装置。
【請求項２】
前記発光位置は前記収納位置より後側に位置することを特徴とする請求項１に記載の撮像装置。
【請求項３】
前記発光手段は、前記収納位置と前記発光位置とを回動することで移動可能であって、前記アンテナ保護部の周りを回動することを特徴とする請求項１又は請求項２に記載の撮像装置。
【請求項４】
前記アンテナ保護部は、前記アンテナによる無線通信の送受信が可能なように、少なくとも一部が金属材料とは異なる材料からなることを特徴とする請求項１乃至請求項３の何れか一項に記載の撮像装置。
【請求項５】
前記アンテナ保護部は、前側と上側が金属材料とは異なる材料からなることを特徴とする請求項４に記載の撮像装置。
【請求項６】
前記アンテナ保護部は、前側と上側が樹脂材料からなることを特徴とする請求項５に記載の撮像装置。
【請求項７】
前記アンテナ保護部の前面は、前記発光手段が前記発光位置にある場合に、前記発光手段が収納位置にある場合よりも露出することを特徴とする請求項６に記載の撮像装置。
【請求項８】
前記アンテナ保護部は、前記発光手段が前記収納位置にある場合の前記発光手段の金属材料までの距離が、前記発光手段が発光位置にある場合の前記発光手段の金属材料までの距離以上であることを特徴とする請求項１乃至請求項７の何れか一項に記載の撮像装置。
【請求項９】
前記アンテナ保護部が設けられた方向に突出した、アクセサリーを取り付けるためのアクセサリー取付け部を有し、
前記アクセサリー取付け部の最外部は、前記アンテナ保護部の最外部よりも突出した位置に配置されることを特徴とする請求項１乃至請求項８の何れか一項に記載の撮像装置。
【請求項１０】
前記アクセサリー取付け部の最外部は、前記アンテナ保護部の最外部より低い位置に配置され、
前記アンテナは、前記発光手段が前記収納位置にある場合に、前記発光手段の金属材料部分よりも高い位置に配置されることを特徴とする請求項９に記載の撮像装置。
【請求項１１】
前記アンテナは、前記アクセサリー取付け部のシンクロ接点よりも上側に配置されることを特徴とする請求項８又は請求項１０の何れか一項に記載の撮像装置。
【請求項１２】
前記アンテナ保護部は、前記アクセサリー取付け部の土台部分と一体的に形成されていることを特徴とする請求項８乃至請求項１１の何れか一項に記載の撮像装置。
【請求項１３】
前記発光手段を回動とするためのアーム部を有し、
前記アーム部の回動中心の軸方向における前記アンテナ保護部の横幅が、前記アーム部の間隔よりも狭いことを特徴とする請求項３に記載の撮像装置。
【請求項１４】
前記アンテナ保護部は、前記発光手段が前記発光位置にある場合に、前記発光手段の金属材料部分の直下ではない位置に配置されることを特徴とする請求項１乃至請求項１３の何れか一項に記載の撮像装置。
【請求項１５】
撮像装置の上側に設けられ、無線通信の送受信をおこなうアンテナと、
収納位置と発光位置とを移動可能な発光手段と、を備え、
前記アンテナを覆うことで保護するための、金属材料とは異なる材料からなるアンテナ保護部とを有し、
前記アンテナ保護部は、前記アンテナによる無線通信の送受信が可能なように、少なくとも一部が金属材料とは異なる材料からなり、
前記発光手段は、前記収納位置にある場合に前記発光手段の金属材料部分が前記アンテナよりも下側かつ前側に配置され、前記発光位置にある場合に前記発光手段の金属材料部分が前記アンテナ保護部より上側であって前記アンテナ保護部との間に空間が生じるように配置されることを特徴とする撮像装置。
【発明の詳細な説明】
【技術分野】
【０００１】
本発明は、他の機器と無線通信をおこなうためのアンテナを内蔵した撮像装置に関する。
【背景技術】
【０００２】
従来、撮像装置において、撮像装置とアクセサリーやコンピュータ等の外部装置、他の撮像装置との間で、無線通信により画像信号等の情報の送受信をおこなう無線通信手段を有するものが一般的に知られている。
【０００３】
このような撮像装置としては、各種規格に準拠したＧＰＳ受信ユニットや無線ＬＡＮユニットなどの無線通信回路（手段）と接続されたアンテナを、装置内部に、無線通信の通信性能が低下しないように配置することが望ましい。
【０００４】
そこで、特許文献１では、ポップアップ可能な内蔵ストロボ内の上側付近にアンテナ部を配置させた撮像装置について提案されている。
【先行技術文献】
【特許文献】
【０００５】
【特許文献１】特開２０００−７５３８１号公報
【発明の概要】
【発明が解決しようとする課題】
【０００６】
しかしながら、内蔵ストロボを構成する反射部材などは金属材料で形成されていることが一般的である。
【０００７】
従って、特許文献１において内蔵ストロボをポップアップした場合は、金属材料で形成された該反射部材が撮像装置の前方に位置することによって、アンテナの指向は撮像装置の後上方へと変化してしまう。
【０００８】
この場合、撮像装置の前方からの無線通信の通信性能が低下してしまう可能性がある。
【０００９】
本発明の目的は、発光部を有する撮像装置について、発光部を発光位置へと移動した場合であっても、撮像装置の前方及び上方における無線通信の通信性能を低下させないようにアンテナを配置することが可能な撮像装置を提供するものである。
【課題を解決するための手段】
【００１０】
上記目的を達成するための本発明としての撮像装置は、撮像装置の上側に設けられ、無線通信の送受信をおこなうアンテナと、前記アンテナより前側に位置する収納位置と、前記アンテナより上側に位置する発光位置とを移動可能な発光手段と、を備えた撮像装置であって、前記アンテナを覆うことで保護するための、少なくとも一部が金属材料とは異なる材料からなるアンテナ保護部を有し、前記アンテナは、前記発光手段が前記収納位置にある場合に、前記発光手段の金属材料部分より上側に配置され、前記アンテナ保護部は、前記発光手段が前記発光位置にある場合に、前記発光手段の金属材料部分との間に空間が生じるように配置されることを特徴とする。
【００１１】
また、上記目的を達成するための他の本発明としての撮像装置は、撮像装置の上側に設けられ、無線通信の送受信をおこなうアンテナと、収納位置と発光位置とを移動可能な発光手段と、を備え、前記アンテナを覆うことで保護するための、金属材料とは異なる材料からなるアンテナ保護部とを有し、前記アンテナ保護部は、前記アンテナによる無線通信の送受信が可能なように、少なくとも一部が金属材料とは異なる材料からなり、前記発光手段は、前記収納位置にある場合に前記発光手段の金属材料部分が前記アンテナよりも下側かつ前側に配置され、前記発光位置にある場合に前記発光手段の金属材料部分が前記アンテナ保護部より上側であって前記アンテナ保護部との間に空間が生じるように配置されることを特徴とする。
【発明の効果】
【００１２】
本発明によれば、発光部を有する撮像装置について、発光部を発光位置へと移動した場合であっても、撮像装置の前方及び上方における無線通信の通信性能を低下させないようにアンテナを配置することができる。
【図面の簡単な説明】
【００１３】
【図１】本発明の第１実施形態に係る撮像装置の前面斜視図を例示的に示す図である。
【図２】本発明の第１実施形態に係る撮像装置の構成例を示す図である。
【図３】本発明の第１実施形態に係る撮像装置の発光部の拡大斜視図を例示的に示した図である。
【図４】本発明の第１実施形態に係る撮像装置の上部の中央断面図を例示的に示した図である。
【図５】（ａ）本発明の第１実施形態に係る撮像装置について、発光手段を跳ね上げしていない状態での上部正面図を例示的に示した図である。（ｂ）本発明の第１実施形態に係る撮像装置について、発光手段を跳ね上げしていない状態での上部側面図を例示的に示した図である。
【図６】（ａ）本発明の第１実施形態に係る撮像装置について、発光手段を跳ね上した状態での上部正面図を例示的に示した図である。（ｂ）本発明の第１実施形態に係る撮像装置について、発光手段を跳ね上した状態での上部側面図を例示的に示した図である。
【発明を実施するための形態】
【００１４】
（第１実施形態）
以下、本発明の第１実施形態について図１を参照して説明する。尚、図１は本実施形態に係る撮像装置であるカメラ本体１の前面斜視図を例示的に示した図である。
【００１５】
ここで、図１はカメラ本体１から撮影レンズユニットを外した状態を示している。尚、以下の説明においては、撮影方向と直交した方向のうち、後述するアクセサリーシュー１２が設けられている方向を、カメラ本体１における上側とする。
【００１６】
図１において、カメラ本体１はマグネシウム合金などの金属材料でその外装部が構成されている。
【００１７】
グリップ部１ａは、撮影時にユーザーがカメラ本体１を安定して握り易いように前方に突出したグリップ部分である。
【００１８】
マウント部２は、不図示の撮影レンズユニットをカメラ本体１に着脱可能に固定させるためのマウント部である。
【００１９】
マウント部２の内面側に設けられたマウント接点３は、カメラ本体１に撮影レンズユニットが取り付けられた状態で、カメラ本体１と撮影レンズユニットとの間で制御信号、状態信号等の信号通信をおこなう。また、撮影レンズユニット側に対する電力の供給もおこなう。
【００２０】
レンズロック解除釦４は、ユーザーによって押し込まれることで撮影レンズユニットをカメラ本体１から取り外すことが可能な押釦である。
【００２１】
ミラーボックス５はカメラ本体１の筐体内に配置され、撮影レンズユニットによって撮影された被写体の撮影光束をクイックリターンミラー６へと導く。
【００２２】
クイックリターンミラー６はミラーボックス５の内部に配置され、ミラーボックス５によって導かれた撮影光束を後述のペンタプリズム２２へと導く。
【００２３】
尚、クイックリターンミラー６は、撮影光軸に対して４５°の角度に保持され、後述するペンタプリズム２２へと撮影光束を導く状態と、撮影光束から退避し不図示の撮像素子へと撮影光束を導く状態とを取り得る。
【００２４】
シャッタ釦７は撮影開始の起動スイッチであり、第１ストローク（例えば、半押し状態）で被写体に対するＡＦ等の処理がおこなわれ、第２ストローク（例えば、全押し）で撮影開始の指示等の処理をおこなう。
【００２５】
メイン操作ダイヤル８は、ダイヤル操作によってシャッタスピードなどの設定をおこなう。
【００２６】
メニュー釦９は、撮影における各種の設定をおこなうためのメニューモードを呼び出すための釦である。
【００２７】
ここで、メニュー釦９で設定可能なパラメータとしては、例えば、ＩＳＯ感度、ストロボ調光補正、ＡＦモード、ＤＲＩＶＥモード、測光モード、ホワイトバランスなどである。
【００２８】
尚、本実施形態では、メニュー釦９で設定可能なパラメータは上述したものに限定されるものではなく、上述したもの以外を適宜設定可能とするような構成であってもよい。
【００２９】
外部液晶表示部１０は、ユーザーによるメイン操作ダイヤル８やメニュー釦９、不図示のサブ操作ダイヤルの操作に応じて、設定された内容を表示することが出来る表示部である。尚、カメラ本体１の背面に設けられた不図示のカラー液晶モニタに表示するような構成であってもよい。
【００３０】
カメラ本体１の上部中央には、カメラ本体１に対して不図示の外付けストロボなどのアクセサリー類を取り付け可能なアクセサリー取付け部であるアクセサリーシュー１２が設けられている。また、該アクセサリーシュー１２の内部には金属材料からなるシンクロ接点（以下、シンクロ接点群と称す）１１ａが設けられている。
【００３１】
アクセサリーシューベース１１は、アクセサリーシュー１２の土台部分であり、樹脂材料で形成されている。
【００３２】
更に、アクセサリーシュー１２の前方には、本実施形態におけるアンテナ保護部であり、アンテナ１０１を覆うことでアンテナ１０１の保持と保護をするアンテナカバー１１ｂが設けられている。
【００３３】
尚、本実施形態では、アンテナカバー１１ｂと、アクセサリーシュー１２の土台部分であるアクセサリーシューベース１１とは一体的に形成されているがこれに限定されるものではない。
【００３４】
例えば、アンテナカバー１１ｂとアクセサリーシューベース１１が、それぞれ独立して設けられているような構成でもあってもよい。
【００３５】
アクセサリーシュースプリング１３は、アクセサリーシュー１２とアクセサリーシュー１２に取り付け可能な不図示のアクセサリーとの間でフリクションを発生させるためのバネ部材である。
【００３６】
モードダイヤル１４はカメラ本体１の内部に予め設けられている種々の撮影モードを選択するためのダイヤルであり、ユーザーの操作選択に応じて、所定の撮影モードに設定することができる。
【００３７】
尚、カメラ本体１の電源をＯＮ、ＯＦＦする為の不図示のメインスイッチはカメラ本体１の背面側であってモードダイヤル１４の近傍に設けられている。
【００３８】
また、グリップ部１ａと反対側の側面には開閉可能な外部端子蓋１５があり、外部端子蓋１５の内部には、外部への接続が可能な不図示のＨＤＭＩ（登録商標）出力用端子やＵＳＢ出力用コネクタなどの外部インターフェースが設けられている。
【００３９】
また、グリップ部１ａの下側には開閉可能な電池開閉蓋１６が設けられており、該電池開閉蓋１６を開いた状態で、カメラ本体１の内部の各部へ電力を供給するための電源部である不図示の電池をカメラ本体１に挿入可能である。
【００４０】
ストロボ釦１７は、後述する内蔵ストロボ装置２１０を開閉するための釦であり、ユーザーによりストロボ釦１７が押されることで内蔵ストロボ装置２１０を収納位置から発光位置まで移動させることができる。
【００４１】
内蔵ストロボ装置２１０は、後述する発光部２１１を含む内蔵発光装置であり、カメラ本体１の上側に設けられている。
【００４２】
そして、内蔵ストロボ装置２１０は、図６に後述するアーム部２１２により回動可能である。尚、発光部２１１を含む内蔵ストロボ装置２１０の開閉動作についての詳細は後述する。
【００４３】
また、内蔵ストロボ装置２１０の外装部分（以下、ストロボ外装部と称す）は樹脂材料から形成されている。ここでストロボ外装部に金属材料を使用しないのは、後述するアンテナ１０１による無線通信の通信性能（以下、通信性能と称す）を低下させないためである。
【００４４】
カメラ上側外装部２１０ｂは前述したシャッタ釦７やメイン操作ダイヤル８、メニュー釦９、及び外部液晶表示部１０を保持する外装部である。
【００４５】
尚、本実施形態において、カメラ上側外装部２１０ｂと内蔵ストロボ装置２１０とはそれぞれ別々に設けられているが、一体的に設けるような構成であってもよい。
【００４６】
以下、図２を参照して、本実施形態に係る撮像装置の上側部分（上部）であり、内蔵ストロボ装置２１０が設けられているカメラ本体１の上部の構成を説明する。
【００４７】
尚、図２はカメラ本体１を下方向から覗いた場合の、本実施形態に係る撮像装置であるカメラ本体１の上部の部分分解斜視図であり、前述の図と共通する部分は同じ記号で示している。
【００４８】
アクセサリーシューベース１１は前述したように樹脂材料で形成されており、その中央には金属材料であるシンクロ接点群１１ａがインサート成形または圧入などにより一体的に構成されている。
【００４９】
そして、アクセサリーシューベース１１のシンクロ接点群１１ａが設けられている位置と対応するカメラ上側外装部２１０ｂの位置には、アクセサリーシューベース１１の信号線であるシンクロ接点群１１ａを通過させるための不図示の開口が設けられている。
【００５０】
前述したアンテナカバー１１ｂの裏面にはアンテナ収納室１１ｃが設けられている。そして、アンテナ収納室１１ｃの内部には、後述するアンテナ１０１が収納されている。
【００５１】
ここで、アンテナカバー１１ｂは、前述のカメラ本体１の金属材料からなる外装部とは異なり、樹脂材料で形成されている。これは、アンテナ１０１による無線通信が遮られることを防ぐためである。
【００５２】
尚、本実施形態では、アンテナカバー１１ｂの材料は、撮像装置としての外観を損ねずに、無線通信を遮る、金属材料でなければどのようなものを用いてもよい。
【００５３】
また、アンテナ１０１の通信性能を低下させないような位置であれば、アンテナカバー１１ｂの一部に金属材料を使用するような構成であってもよい。
【００５４】
例えば、アンテナカバー１１ｂのうち、カメラ本体１の前方から遠隔操作等を施す頻度が高い前側や、カメラ本体１の上方からＧＰＳ衛星等との通信をおこなう上側などに、金属材料を使用しないようにすれば、アンテナ１０１の通信性能はある程度保障される。
【００５５】
更に、アンテナ１０１の通信性能を低下させない程度の量であれば、アンテナカバー１１ｂの前側や上側の一部に金属材料を使用するような構成であってもよい。
【００５６】
例えば、アンテナカバー１１ｂの前側と上側の境となる部分（角部分）に、補強のために少量の金属材料を使用したとしても、アンテナ１０１の通信性能はある程度保障される。そして、この場合はアンテナカバー１１ｂの剛性を向上させることができる。
【００５７】
即ち、本実施形態におけるアンテナカバー１１ｂの材料は、アンテナ１０１による無線通信の送受信が可能となるように、アンテナカバー１１ｂの少なくとも一部が金属材料とは異なるような構成であればよい。
【００５８】
アクセサリーシューベース１１には、後述するビス１８が取り付けられる位置と対応した位置にビス穴１１ｅが設けられている。
【００５９】
前述したアンテナ１０１は、カメラ上側外装部２１０ｂに設けられた不図示の開口を通り、座金１８を介在させて、無線通信手段である送受信回路１００と接続されている。
【００６０】
送受信回路１００は、画像データや各種情報を無線通信によって外部機器へと送受信する際の無線通信手段である。
【００６１】
前述したアクセサリーシュー１２は金属材料で形成されており、例えば、不図示の外付けストロボだけでなく、アクセサリーシュー１２に嵌め込み可能な形状を持つ種々のアクセサリーを取り付ける事ができる。
【００６２】
尚、アクセサリーシュー１２の部材としては、導電性が高く、前述したアンテナカバー１１ｂの樹脂材料よりも強度が高い材料を用いることが望ましい。
【００６３】
従って、誤ってカメラ本体１を地面などに落下させてしまった場合であっても、アクセサリーシュー１２がアンテナカバー１１ｂよりも先に地面と接触し、アンテナカバー１１ｂの破損を抑制することができる。
【００６４】
そして、アンテナカバー１１ｂの内部に設けられたアンテナ１０１を、落下の衝撃から保護することもできる。尚、この点については後述する。
【００６５】
アクセサリーシュー１２には、シンクロ接点群部１１ａを露出させるための開口１２ａと、その周囲の４か所にはビス穴１２ｅが開けられている。また、不図示の外付けストロボが取り付けられた際に、外付けストロボ側から突出するストッパーピンが入り込む穴１２ｂが設けられている。
【００６６】
ビス群１９はアクセサリーシュー１２のビス穴１２ｅ、アクセサリーシューベース１１のビス穴１１ｅ、及びカメラ上側外装部２１０ｂに設けられた不図示のビス穴を貫通して座金１８のビス穴１８ｅにビス締めされる。
【００６７】
座金１８には、ビス穴１８ｅとは異なる位置にビス穴１８ｆが設けられている。そして、該ビス穴１８ｆにビス２０が取り付けられることによって、座金１８がカメラ上側外装部２１０ｂに固定される。
【００６８】
ビス２１は、送受信回路１００を座金１８と固定するためのビスである。
【００６９】
以上の構成によって、送受信回路１００と前述したアンテナ１０１が座金１８を介在するように接続されている。
【００７０】
尚、アンテナカバー１１ｂと対応する位置のストロボ外装部には、アンテナカバー部１１ｂと略同一の大きさの開口が設けられている。即ち、ストロボ外装部の該開口部を通過してアンテナカバー１１ｂがカメラ本体１から突出している。
【００７１】
前述した内蔵ストロボ装置２１０は前述したアーム部２１２と、被写体に対して発光をおこなう発光部２１１などから構成されている。以下、図３を参照して発光部２１１を構成する各部の構成例について説明する。
【００７２】
尚、図３は、本実施形態に係る撮像装置の発光部２１１の拡大斜視図を例示的に示した図である。
【００７３】
反射傘２１１ａは、金属材料で形成され導電性を有する反射部材である。
【００７４】
キセノン菅２１１ｂは、本実施形態における発光部２１１の発光源である。
【００７５】
リード線２１１ｃは、カメラ本体１の内部からキセノン菅２１１ｂなどへと電力を提供するためのリード線であり、金属材料によって形成されている。
【００７６】
半田２１１ｄは、キセノン菅２１１ｂとリード線２１１ｃとを接続するための半田部分である。
【００７７】
尚、キセノン菅２１１ｂを励起させるための不図示のトリガーコイルも金属材料で形成されている。
【００７８】
次に、本実施形態における発光部２１１の動作について説明する。
【００７９】
発光部２１１は、前述した内蔵ストロボ装置２１０の頂上部に設けられており、発光部２１１を回動可能とするために、内蔵ストロボ装置２１０の両端は２本のアーム部２１２によって形成されている。
【００８０】
従って、発光部２１１はアーム部２１２によって、後述する回動中心２１０ａを中心に収納位置と発光位置とを回動することで移動可能である。
【００８１】
そして、発光部２１１が発光位置に位置した場合に、発光動作をおこなうことができる。
【００８２】
尚、本実施形態では、発光部２１１が不図示の電気回路に接続され、所定の信号に従って所望のタイミング及び光量で発光動作をおこなう。
【００８３】
以上説明したように、内蔵ストロボ装置２１０の発光部２１１には、一部に反射傘２１１ａなどの金属材料が使用されている。
【００８４】
従って、発光部２１１の近傍にアンテナ１０１を配置する場合、反射傘２１１ａなどの、発光部２１１の金属材料からなる部分（以下、金属材料部分）が配置されている方向のアンテナの指向は遮られてしまう。
【００８５】
即ち、発光部２１１の金属材料部分が配置されている方向では、アンテナ１０１の無線通信の通信性能が低下してしまう可能性がある。
【００８６】
尚、一般的に、撮像装置の上方、及び前方におけるアンテナ１０１による電波の送受信の頻度は高い。従って、カメラ本体１の前方及び上方におけるアンテナ１０１の通信性能が低下することは好ましくない。
【００８７】
特に、カメラ本体１の前方である被写体側であってカメラ本体１に比較的近い位置からは、例えば、不図示のリモコンやスマートフォンなどのデバイスを用いて無線通信をおこなうことで、カメラ本体１の動作指示をおこなう機会が多い。
【００８８】
従って、アンテナ１０１の前面には、例えば発光部２１１の金属材料部分のように、無線通信を遮るような金属材料を配置することは望ましくない。
【００８９】
そこで、本実施形態では、発光部２１１が収納位置、及び発光位置のどちらにある場合であっても、アンテナ１０１における、カメラ本体１の前方及び上方における通信性能の低下を抑制できるようにアンテナ１０１を配置する。
【００９０】
以下、図４を参照してカメラ本体１の上部における、発光部２１１が収納位置にある場合の、アンテナ１０１と発光部２１１との配置関係を説明する。
【００９１】
尚、図４は、発光部２１１が収納位置にある場合における、本実施形態に係る撮像装置の上部の中央断面図を例示的に示した図であり、前述した図面と共通する部分の同じ記号で示している。
【００９２】
ペンタプリズム２２は、クイックリターンミラー６によって反射された撮影光束を正立正像に変換反射する光学部材である。従って、ユーザーはペンタプリズム２２で正立正像に変換された被写体像を、接眼レンズ群２３を介して接眼窓２４で観察することができる。
【００９３】
図４からわかるように、本実施形態においてアンテナ１０１は、カメラ本体１の上側であって、前述のペンタプリズム２２の上方に配置され、送受信回路１００と接続されている。
【００９４】
尚、本実施形態では、アンテナカバー１１ｂが保護するのはアンテナ１０１のみであるが、該アンテナ１０１の下部に接続されている送受信回路１００を保護するような構成であってもよい。
【００９５】
発光部２１１は、被写体に近い側であってペンタプリズム２２の上方に配置されている。
【００９６】
従って、発光部２１１の金属材料部分である反射傘２１１ａなども、被写体に近い側であってペンタプリズム２２の上方に配置されている。
【００９７】
尚、図４に示すような発光部２１１及び内蔵ストロボ装置２１０の位置が前述の収納位置である。従って、本実施形態における収納位置とは、アンテナ１０１より前側かつ下側に位置している。
【００９８】
アクセサリーシュー１２は被写体から遠い側であってペンタプリズム２２の上方に設けられている。
【００９９】
以上の説明より、短い破線〈１〉で示したような発光部２１１の金属材料部の最も高い位置（頂点部）より、二点鎖線〈２〉で示したようなアンテナ１０１は、カメラ本体１の上側に突出した（高い）位置に配置されている。
【０１００】
更に、矢印ａで示したように、アンテナ１０１から発光部２１１の金属材料部分の間は、十分な距離を有している。
【０１０１】
従って、アンテナ１０１の前側及び下側には、反射傘２１１ａなどの発光部２１１の金属材料部分が位置しないように配置されているため、カメラ本体１の前方及び上方における通信性能が低下することを抑制することができる。
【０１０２】
また、本実施形態ではカメラ本体１の上部のうち、長い破線〈３〉で示したアンテナカバー１１ｂの頂点部（最外部）より、一点鎖線〈４〉で示したアクセサリーシュー１２の頂点部（最外部）が突出した（高い）位置に配置されている。
【０１０３】
従って、カメラ本体１が誤って落下しまったとしても、樹脂材料で構成されているアンテナカバー１１ｂより、金属材料からなるアクセサリーシュー１２が先に地面に接触するため、アンテナカバー１１ｂおよび内部のアンテナ１０１を保護する事が出来る。
【０１０４】
尚、アンテナカバー１１ｂがアクセサリーシュー１２の全ての部分より突出している必要はない。本実施形態においては、少なくともアクセサリーシュー１２の最外部であるアクセサリーシュー１２の頂点部がアンテナカバー１１ｂの頂点部より突出した位置に配置されていればよい。
【０１０５】
ここで、アクセサリーシュー１２のうち、外付けストロボ等のアクセサリーと接触する部分（例えば、シンクロ接点群１１ａの上部）を、アンテナ１０１よりも下部に配置することが望ましい。
【０１０６】
これは、金属材料によって形成されているシンクロ接点群１１ａによってアンテナ１０１の通信性能が低下することを極力抑制するためである。
【０１０７】
以上説明したように、本実施形態に係る撮像装置は、発光部２１１が収納位置にある場合に、撮像装置の前方及び上方におけるアンテナ１０１の無線通信の通信性能が低下することを抑制することができる。
【０１０８】
また、発光部２１１が収納位置にある場合に、カメラ本体１を落下させてしまったとしても、アンテナカバー１１ｂが破損することを抑制し、アンテナ１０１を落下の衝撃から保護することができる。
【０１０９】
次に、図５、図６を参照して発光部２１１が収納位置及び発光位置にある場合の、カメラ本体１の上部における各部の配置関係を説明する。
【０１１０】
尚、図５（ａ）は発光部２１１が収納位置にある場合の、カメラ本体１の上部の正面図を例示的に示した図である。また、図５（ｂ）は発光部２１１が収納位置にある場合の、カメラ本体１の上部の側面図を例示的に示した図である。
【０１１１】
図６（ａ）は発光部２１１が発光位置にある場合の、カメラ本体１の上部の正面図を例示的に示した図である。また、図６（ｂ）は発光部２１１が発光位置にある場合の、カメラ本体１の上部の側面図を例示的に示した図である。
【０１１２】
まず、発光部２１１及び内蔵ストロボ装置２１０が収納位置にある場合の、カメラ本体１の上部における各部の配置を説明する。
【０１１３】
図５（ａ）より、破線で示したアンテナ１０１より二点鎖線で示した発光部２１１の金属材料部分（反射傘２１１ａ）の方が上側に配置されている。また、アンテナ１０１の上側には何も設けられていない。
【０１１４】
そして、図５（ｂ）より、アンテナ１０１の前側には発光部２１１の金属材料部分である反射傘２１１ａは配置されず、アンテナ１０１から反射傘２１１ａまでの距離ａは、通信性能を低下させないように、十分に距離を離して配置されていることがわかる。
【０１１５】
尚、図５（ｂ）の一点鎖線で示した位置が発光部２１１及び内蔵ストロボ装置２１０の回動中心２１０ａである。
【０１１６】
以上の説明より、発光部２１１及び内蔵ストロボ装置２１０が収納位置にある場合は、前述したような構成によりカメラ本体１の前方及び上方におけるアンテナ１０１の通信性能を低下することを抑制することが出来ることがわかる。
【０１１７】
以下、発光部２１１及び内蔵ストロボ装置２１０が発光位置にある場合の、カメラ本体１の上部における配置関係について説明する。
【０１１８】
尚、図６（ａ）（ｂ）に示す発光部２１１と内蔵ストロボ装置２１０の位置が、本実施形態における発光位置であり、該発光位置はアンテナ１０１より上側、且つ、前述した収納位置より後側に位置している。
【０１１９】
図６（ａ）より、発光部２１１は、内蔵ストロボ装置２１０の側面部分にあたる二カ所のアーム部２１２により、回動中心２１０ａを中心としてカメラ本体１に回動可能に支持されている。
【０１２０】
即ち、本実施形態において発光部２１１は、アーム部２１２によって収納位置と発光位置とを回動することで移動可能に設けられている。
【０１２１】
尚、発光部２１１を含む内蔵ストロボ装置２１０は、不図示の駆動機構などによる外力やユーザーの操作により、収納位置から発光位置へと移動可能である。
【０１２２】
そして、回動中心２１０ａの軸方向におけるアンテナカバー１１ｂの横幅Ｂは、アーム部２１２の間隔Ａより狭い。従って、内蔵ストロボ装置２１０は、アンテナカバー１１ｂと干渉する事無く収納位置から発光位置へと移動することが可能となる。
【０１２３】
尚、発光部２１１の移動方向は、回動中心２１０ａを中心に、アンテナカバー１１ｂの周りを回動するように設けられているが本実施形態はこれに限定されるものではない。
【０１２４】
例えば、発光位置とアーム部２１２の回動中心２１０ａとを、アンテナカバー１１ｂの前側に位置させるような構成であってもよい。
【０１２５】
図６（ｂ）より、破線で示したアンテナ１０１は、二点鎖線で示した反射傘２１１ａなど発光部２１１の金属材料部分より上側（高い位置）に配置される。
【０１２６】
しかしながら、発光部２１１とアンテナカバー１１ｂとの間には介在するものがない空間が生じていることがわかる。即ち、発光部２１１の金属材料部分である反射傘２１１ａとアンテナ１０１についても、矢印ｂで示すような十分な空間（距離）が形成される。
【０１２７】
従って、アンテナ１０１を保護するアンテナカバー１１ｂは、アンテナカバー１１ｂの上側であって、反射傘２１１ａとの間に空間が生じるように配置さるため、カメラ本体１の上方におけるアンテナ１０１の通信性能が低下することを極力抑制することができる。
【０１２８】
また、アンテナカバー１１ｂの前面（被写体に近い側の面）は、カメラ本体１の外部に露出した（ひらけた）状態となるため、カメラ本体１の前方におけるアンテナ１０１の通信性能が低下することを抑制することができる。
【０１２９】
尚、本実施形態において、発光部２１１が発光位置にある場合は、アンテナカバー１１ｂの前面の全てが露出するように構成されているがこれに限定されるものではない。
【０１３０】
例えば、外部に露出するアンテナカバー１１ｂの前面の量（面積）を、発光部２１１が発光位置にある場合の方が、発光部２１１が収納位置にある場合よりも多くなるような構成であればよい。
【０１３１】
以上説明したように、本実施形態に係る撮像装置は、発光部２１１が発光位置にある場合に、カメラ本体１の前方及び上方におけるアンテナ１０１の無線通信の通信性能が低下することを抑制することができる。
【０１３２】
尚、本実施形態では、アンテナカバー１１ｂから発光部２１１の金属材料までの距離ｂは、前述した距離ａと略同一（距離ａ≒距離ｂ）であるがこれに限定されるものではない。
【０１３３】
例えば、発光位置におけるアンテナ１０１から発光部２１１の金属材料部分までの距離が、収納位置におけるアンテナ１０１から発光部２１１の金属材料部分までの距離以上（距離ａ≦距離ｂ）となるような構成でもあってもよい。
【０１３４】
この場合、発光部２１１が発光位置にある場合に、アンテナ１０１から発光部２１１の金属材料部分までの距離は更に広がるため、カメラ本体１の上方におけるアンテナ１０１の指向は広がり、通信性能は更に向上する。
【０１３５】
以上説明したように、本実施形態に係る撮像装置は、発光部２１１を発光位置へと移動した場合であっても、撮像装置の前方及び上方における無線通信の通信性能を低下することを抑制することができる。
【０１３６】
尚、本実施形態では、アンテナ１０１の全ての部分が、反射傘２１１ａなどの発光部２１１の金属材料部分よりも上側（高い位置）に配置されているがこれに限定されるものではない。
【０１３７】
例えば、ある程度の通信性能を保障するために、アンテナ１０１の一部が発光部２１１の金属材料部分より上側に位置するような構成であってもよい。
【０１３８】
この場合、アンテナカバー１１ｂは、ストロボ外装部に対して突出した部分は減少するため、カメラ本体１を小型化することができる。
【０１３９】
また、本実施形態では、発光部２１１が発光位置にある場合に、アンテナカバー１１ｂの上部に発光部２１１の金属材料部分が位置するような構成であるがこれに限定されるものではない。
【０１４０】
例えば、発光部２１１が発光位置にある場合は、アンテナカバー１１ｂを発光部２１１の金属材料部分の直下でなく、接眼窓２４（被写体に遠い）側に配置するような構成であってもよい。
【０１４１】
即ち、内蔵ストロボ装置２１０が発光位置にある場合に、アンテナカバー１１ｂの直上に発光部２１１の金属材料部分を位置させないような構成でもよい。
【０１４２】
この場合、アンテナ１０１の上方における指向は広がるので、アンテナ１０１の上方における通信性能は向上する。
【０１４３】
以上、本発明の好ましい実施形態について説明したが、本発明はこれらの実施形態に限定されず、その要旨の範囲内で種々の変形及び変更が可能である。
【０１４４】
例えば、発光部２１１を含む内蔵ストロボ装置２１０の移動を、カメラ本体１の上下直線方向のみでおこなうような撮像装置であっても構わない。
【０１４５】
その場合、アンテナ１０１の前側であって直線上には発光部２１１の金属材料部分が位置せず、アンテナカバー１１ｂと発光部２１１の金属材料部分との間に十分な空間を有するようにアンテナ１０１（アンテナカバー１１ｂ）を配置することが望ましい。
【符号の説明】
【０１４６】
１  カメラ本体（撮像装置）
１１ｂ  アンテナカバー（アンテナ保護部）
１０１  アンテナ
２１１  発光部（発光手段）
２１１ａ  反射傘
【図１】
2015001731.tif 000003
【図２】
2015001731.tif 000004
【図３】
2015001731.tif 000005
【図４】
2015001731.tif 000006
【図５】
2015001731.tif 000007
【図６】
2015001731.tif 000008